(57)【特許請求の範囲】
【請求項１】
ビデオ又はテレビゲーム等の映像及び音声信号が入力される第１入力端子と、
チャンネル選択信号に従い選択されたチャンネルについて、放送を受信して映像及び音声信号を得るためのチューナ部と、
セレクタ制御信号に従い、前記チューナ部からの映像及び音声信号と、前記第１の入力端子から入力された映像及び音声信号とのいずれかを選択して出力するセレクタ部と、
前記セレクタ部からの映像及び音声信号をテレビ又はディスプレイに供給するための出力端子と、
前記チューナ部からの映像信号と、前記セレクタ部からの映像信号とが入力され、両信号の水平同期信号及び／又は垂直同期信号を比較して、両信号の時間間隔に相当する判定信号を出力する比較部と、
前記比較部からの判定信号と、テレビの電源状態を示す信号と、チャンネル選択信号に基づき、前記チューナ部からの映像信号と前記セレクタ部からの映像信号とが一致するか否か及びテレビの電源状態を判断し、前記出力端子に接続されたテレビ又はディスプレイにより視聴された放送を特定する処理部と
を備えた視聴状況調査装置。
【請求項２】
テレビゲーム等の第２の映像及び音声信号が入力される第２入力端子をさらに備え、
前記セレクタ部は、前記第１若しくは第２入力端子から入力される信号、又は、チューナ部からの信号のいずれかを選択することを特徴とする請求項１に記載の視聴状況調査装置。
【請求項３】
テレビのフライバックトランス又は他のトランス又はコイルの近傍に取り付けられたセンサ部の出力に基づき、テレビの電源状態を示す信号を前記処理部に供給する検出回路
をさらに備えたことを特徴とする請求項１又は２に記載の視聴状況調査装置。
【請求項４】
前記比較部は、
前記チューナ部からの映像信号から高周波成分を除去する第１ローパスフィルタと、
前記第１ローパスフィルタの出力に基づき、水平同期信号及び／又は垂直同期信号に相当する第１パルスを出力する第１パルス回路と、
前記セレクタ部からの映像信号から高周波成分を除去する第２ローパスフィルタと、
前記第２ローパスフィルタの出力に基づき、水平同期信号及び／又は垂直同期信号に相当する第２パルスを出力する第２パルス回路と、
前記チューナ部からの映像信号から抽出したサブキャリアに基づき計数パルスを発生する計数パルス発生部と、
前記計数パルス発生部から供給された計数パルスを、前記第１パルス回路からの第１パルスと前記第２パルス回路からの第２パルスとの間の期間カウントして、カウント値を判定信号として出力するカウンタ部と
を備えたことを特徴とする請求項１乃至３のいずれかに記載の視聴状況調査装置。
【請求項５】
前記処理部は、
前記チューナ部に複数のチャンネル選択信号を順次与え、複数チャネルについて前記チューナ部からの映像信号と前記セレクタ部からの映像信号とが一致すると判定されるチャネルを求めることを特徴とする請求項１乃至４のいずれかに記載の視聴状況調査装置。
【請求項６】
前記処理部は、
前記チューナ部からの映像信号と前記セレクタ部からの映像信号とが一致すると判定されるチャンネルが複数特定された場合、前記比較部を制御して、前記第１及び第２パルス発生回路から出力された先の判断で用いられなかった垂直同期信号又は水平同期信号に基づき両映像信号の比較を実行することを特徴とする請求項１乃至５のいずれかに記載の視聴状況調査装置。
【請求項７】
前記処理部は、セレクタ制御信号が前記チューナ部を選択する信号であると判断した場合、チャンネル選択信号により選択されたチャンネルが視聴された放送であると特定することを特徴とする請求項１乃至６のいずれかに記載の視聴状況調査装置。
【請求項８】
前記セレクタ部を選択制御するセレクタ制御信号を供給する選択入力部と、
前記選択入力部により選択された状態を表示するためのセレクタ表示部と
をさらに備えたことを特徴とする請求項１乃至７のいずれかに記載の視聴状況調査装置。
【請求項９】
前記処理部により特定された視聴状況に関するログデータを記憶する記憶部をさらに備え、
前記処理部は、前記記憶部にログデータを記憶することを特徴とする請求項１乃至８のいずれかに記載の視聴状況調査装置。
【請求項１０】
視聴者を特定するための個人情報を入力する個人情報入力部をさらに備え、
前記処理部は、前記記憶部のログデータに個人情報を含めることを特徴とする請求項９に記載の視聴状況調査装置。
【請求項１１】
同期信号の比較の代わりに、映像信号、音声信号、ＲＧＢ信号のいずれか又は複数により比較を行うことを特徴とする請求項１乃至１０のいずれかに記載の視聴状況調査装置。
【発明の詳細な説明】
【０００１】
【発明の属する技術分野】
本発明は、視聴状況調査装置に係り、特に、セットトップボックス（ＳＴＢ）を使用した視聴率調査において、実際に視聴している映像音声信号とＳＴＢにより受信されている映像音声信号との同期比較を行い、さらに、ＴＶ電源の動作状況の把握を行う視聴状況調査装置に関する。ここで、ＳＴＢとは、例えば、衛星デジタル放送、地上波放送等の適宜の放送を受信するためのチューナ部を含み、外部にアンテナ及びテレビ受像機（又はディスプレイ）が接続される装置である。
【０００２】
【従来技術】
近年、急速に普及した衛星放送、地域限定の放送、ケーブルによる放送（ＣＡＴＶ）等により、多種多様な放送番組がＴＶによって視聴されている。このような多チャンネル時代では、例えば、一般家庭において実際に視聴されている放送番組を特定する、いわゆるテレビ視聴状況調査（視聴率調査）を行うことが重要となる。各種放送局は、このテレビ視聴状況調査に基づいて、視聴者のニーズに応じた番組を提供することができる。この視聴率調査としては、例えば、ＳＴＢを利用して、視聴チャンネルを測定する方法が知られている。
【０００３】
図１０は、従来のＳＴＢを用いたテレビ視聴状況調査装置の接続説明図であり、図１１は、従来のＳＴＢの背面及び前面の説明図である。
この例では、テレビの上部には、例えば、ＳＴＢが設置されている。テレビは、テレビ台の上に設置されており、テレビ台には、ＶＣＲ（例えば、ビデオデッキ）が置かれている。ＳＴＢの背面には、例えば、アンテナ（ＡＮＴ）端子（ＩＮ）、ＡＮＴ端子（ＯＵＴ）、映像出力端子（Ｖ）及び音声出力端子（Ｌ、Ｒ）が備えられ、同じく、前面には、例えば、各種表示部が備えられている。
【０００４】
ＳＴＢのＡＮＴ端子（ＩＮ）は、アンテナを接続するための端子である。ＡＮＴ端子（ＯＵＴ）は、ＡＮＴ端子（ＩＮ）からの信号を外部（ここでは、ＶＣＲ）に出力するための端子である。映像出力端子（ここでは、１つ）及び音声出力端子（ここでは、２つ、Ｌ用、Ｒ用）は、アンテナから取り出した映像信号及び音声信号を、テレビに送信するための端子である。
【０００５】
テレビは、ＳＴＢからだけではなく、ＶＣＲから出力される信号を受信するためのＶＣＲ用の映像入力端子及び音声入力端子をも備える。ＶＣＲは、ＳＴＢのＡＮＴ端子（ＯＵＴ）と接続するためのＡＮＴ端子（ＩＮ）と、テレビのＶＣＲ用の映像入力端子及び音声入力端子と接続するための映像出力端子及び音声出力端子とを備える。
【０００６】
ここで、従来のＳＴＢを用いたテレビ視聴状況調査装置では、ＴＶ受像機の中からセンシングに必要な信号を取り出す必要がなく、例えば、ＳＴＢに含まれるＴＶチューナー回路にリモコンで指示をして、チャンネルに視聴時間を付加して視聴率を計算していた。
【０００７】
【発明が解決しようとしている課題】
しかしながら、このテレビ視聴状況調査装置では、ＴＶの動作状況とチューナーの動作とは連動がないので、正しい視聴記録を取得することが困難である場合が想定される。具体的には、ＴＶの電源とＳＴＢの電源が別の場合、視聴者がＴＶを視聴する時は、ＴＶの電源をＯＮにし、ＳＴＢよりの信号経路を確立した後、ＳＴＢを電源ＯＮにして、ＴＶチューナーの選局を行い、所望のチャンネルを視聴する。これにより、このテレビ視聴状況調査装置でも正しい視聴チャンネルの記録を行うことができる。
【０００８】
一方、視聴者がＴＶの電源スイッチをＯＦＦにした場合を想定すると、ＴＶ受像機の電源がＯＦＦであっても、ＳＴＢの受像回路は動作している。このため、視聴者がＴＶを視聴していない場合でも、ＳＴＢは、ＳＴＢの指示チャンネルを視聴していたという視聴記録を行う。したがって、このような不正確な視聴記録を回避するには、ＴＶ受像機がＯＦＦになった時に、視聴記録もＴＶがＯＦＦ状態であることを示すような記録に変更する必要がある。
【０００９】
また、このテレビ視聴状況調査装置では、ＶＣＲからの再生視聴や、ＳＴＢではなくＶＣＲに含まれるＶＣＲチューナーを利用してＴＶを視聴する場合、ＴＶがＯＮ状態でも、この視聴は、ＳＴＢのチューナーとは無関係であり、視聴記録が不正確となる場合が想定される。
【００１０】
本発明の目的のひとつは、以上の点に鑑み、実際に視聴している映像音声信号とＳＴＢにより受信されている映像音声信号との同期比較を行い、正確な視聴状況を調査することができる視聴状況調査装置を提供することにある。また、本発明の他の目的は、ＴＶのＣＲＴの動作を確認して、ＴＶ電源の動作状況の把握を行い、ＣＲＴに映像が映されてなければ、視聴記録を視聴ＯＦＦとして記録する視聴状況調査装置を提供することにある。
【００１１】
【課題を解決するための手段】
本発明の解決手段によると、
ビデオ又はテレビゲーム等の映像及び音声信号が入力される第１入力端子と、
チャンネル選択信号に従い選択されたチャンネルについて、放送を受信して映像及び音声信号を得るためのチューナ部と、
セレクタ制御信号に従い、前記チューナ部からの映像及び音声信号と、前記第１の入力端子から入力された映像及び音声信号とのいずれかを選択して出力するセレクタ部と、
前記セレクタ部からの映像及び音声信号をテレビ又はディスプレイに供給するための出力端子と、
前記チューナ部からの映像信号と、前記セレクタ部からの映像信号とが入力され、両信号の水平同期信号及び／又は垂直同期信号を比較して、両信号の時間間隔に相当する判定信号を出力する比較部と、
前記比較部からの判定信号と、テレビの電源状態を示す信号と、チャンネル選択信号に基づき、前記チューナ部からの映像信号と前記セレクタ部からの映像信号とが一致するか否か及びテレビの電源状態を判断し、前記出力端子に接続されたテレビ又はディスプレイにより視聴された放送を特定する処理部と
を備えた視聴状況調査装置を提供する。
【００１２】
【発明の実施の形態】
以下、図面を用いて本発明の実施の形態を詳細に説明する。
図１は、本実施の形態に関するＳＴＢを用いたテレビ視聴状況調査装置の接続説明図であり、図２は、本実施の形態に関するＳＴＢの背面及び前面の説明図である。
この例では、テレビの上部には、例えば、ＳＴＢが設置されている。テレビは、テレビ台の上に設置されており、テレビ台には、ＶＣＲ（例えば、ビデオデッキ）が置かれている。また、ＳＴＢの上部には、個人表示装置が設置されている。また、床面には、ゲーム機が置かれている。
【００１３】
ＳＴＢの背面には、例えば、アンテナ（ＡＮＴ）端子（ＩＮ）、ＡＮＴ端子（ＯＵＴ）、ＴＶ用映像出力端子（Ｖ）及び音声出力端子（Ｌ、Ｒ）、ＶＣＲ用映像入力端子（Ｖ）及び音声入力端子（Ｌ、Ｒ）、ＶＣＤ用映像出力端子（Ｖ）及び音声出力端子（Ｌ、Ｒ）、ＦＢＴ端子（フライバックトランス用端子）及び個人表示器インターフェースが備えられ、同じく、前面には、例えば、ゲーム機用映像入力端子（Ｖ）及び音声入力端子（Ｌ、Ｒ）、各種表示部１〜４が備えられている。
【００１４】
ＳＴＢのＡＮＴ端子（ＩＮ）は、例えば、アンテナを接続するための端子である。ＡＮＴ端子（ＯＵＴ）は、このＡＮＴ端子（ＩＮ）からの信号を外部（ここでは、ＶＣＲ）に出力するための端子である。ＴＶ用映像出力端子（ここでは、１つ）及び音声出力端子（ここでは、２つ、Ｌ用、Ｒ用）は、アンテナから取り出した映像信号及び音声信号を、テレビに送信するため端子である。ＶＣＲ用及びＶＣＤ用の映像入力端子及び音声入力端子は、ＶＣＲ、ＶＴＲ又はＶＣＤ（例えば、ＤＶＤプレイヤー）から出力される信号を受信するための端子である。ＦＢＴ端子は、後述するフライバックトランスに取り付けられたセンサーの出力が入力される端子である。ＳＴＢのゲーム用の映像入力端子及び音声入力端子は、ゲーム機を接続するための端子である。また、個人表示器インターフェースは、個人表示装置をＳＴＢに接続するためのものである。
【００１５】
テレビは、例えば、ＳＴＢのＴＶ用映像出力端子及び音声出力端子に対応する映像入力端子及び音声入力端子（図中、ＡＶ−１）と、他の外部機器用の映像入力端子及び音声入力端子（図中、ＡＶ−２）とを備える。ＶＣＲは、ＳＴＢのＡＮＴ端子（ＯＵＴ）と接続するためのＡＮＴ端子（ＩＮ）と、ＳＴＢのＶＣＲ用の映像入力端子及び音声入力端子と接続するための映像出力端子及び音声出力端子とを備える。
【００１６】
このＴＶ、ＳＴＢ、ＶＣＲ、個人表示装置及びゲーム機を含む接続の仕方によれば、ＶＴＲからの再生視聴や、ＶＣＲのＶＴＲチューナーを利用してＴＶを視聴する場合であっても、映像入力の制御によるＶＴＲからの映像信号の判定は、ＳＴＢ内のデータ・セレクターの動作を監視することで行うことができる。以下、本実施の形態に関する視聴率調査では、ＴＶ、ＳＴＢ、ＶＣＲ及び個人表示装置を含む接続の仕方は、上述の通りである。
【００１７】
図３は、個人表示装置の外観構成図である。
個人表示装置の前面には、例えば、個人視聴インジケータ部と、スピーカと、個人入出力リモコン受光部とが備えられる。個人視聴インジケータ部は、例えば、照光スイッチを用いることができる。照光スイッチは、例えば、直接操作又は個人用リモコンからの入力があると、前面にフィルムに描かれている家族の似顔絵等を照射することにより、視聴者にＴＶ視聴をしている者が誰に設定されているかを容易に伝達することができる。また、スピーカは、視聴者に各種メッセージを伝達するときに利用する。また、この個人表示装置は、個人用リモコン、又は、個人視聴インジケータ部に連動するスイッチを用いて、ＴＶ視聴をしている者が誰に設定されているかのデータを、ＳＴＢに入力することができる。
【００１８】
図４は、本実施の形態に関する視聴状況調査装置の構成図である。
視聴状況調査装置は、例えば、ＴＶチューナー１０１と、中間周波数増幅／復調回路１０２と、音声多重・復調回路１０３と、比較部２００と、アナログ・データセレクター（ＡＶセレクター）１１０と、映像、音声出力端子１１７と、ＴＶ１１８と、ＣＰＵデータバス１０８と、データ・セレクター１１４と、ＡＶセレクター表示器１１５と、ＣＰＵデータバス１０８に接続されたチャンネル（ｃｈ）選択部２５１、処理部（ＭＰＵ）２５２、電源ＯＮ／ＯＦＦ判定部２５３、記憶部２５４、個人情報入力部２５５、時計装置２５６及び個人視聴インジケータ部２５７を備える。なお、データ・セレクター１１４からはＡＶセレクター表示器１１５に対応したデータ・セレクター制御信号１１６が出力されている。なお、図３の構成図では、個人情報入力部２５５と個人視聴インジケータ部２５７が、個人表示装置（例えば、照光スイッチ）により兼用されている。
【００１９】
また、アナログ・データセレクター１１０は、例えば、端子ＩＮ−１〜４の切り替えを行い、映像、音声出力端子１１７に出力する。例えば、端子ＩＮ−１は、ＳＴＢの映像、音声信号を入力し、端子ＩＮ−２は、ＶＣＲの映像、音声信号を入力し、端子ＩＮ−３は、電子ゲームの映像、音声信号を入力し、さらに、端子ＩＮ−４は、その他の機器が接続されている場合での映像、音声信号を入力する。このため、ＳＴＢで受信された放送をＴＶ１１８で視聴している場合、ＳＴＢの指示チャンネルが、視聴チャンネルとなる。また、端子ＩＮ−２を利用してＶＣＲのチューナーを利用して視聴する場合は、比較部２００に含まれる同期比較回路を利用して正しい視聴チャンネルを測定する（後述）。
【００２０】
また、データ・セレクター制御信号１１６は、データ・セレクター１１４で選択された外部入力信号であり、端子ＩＮ−２を視聴者が選択した場合、ＶＣＲの映像音声信号をＴＶ１１８に送信して、視聴を行う。この際、アナログ・データセレクター１１０の映像出力は、ＴＶ１１８のＶＩＤＥＯ  ＯＵＴＰＵＴ端子に端子ＩＮ−２のＶＣＲからの映像信号が出力されることになる。なお、アナログ・データセレクター１１０の端子ＩＮ−１〜ＩＮ−４のうちのどれが選択されているか（ＴＶ１１８に映し出されている映像信号）は、このＡＶセレクター表示器１１５によって表示される。
【００２１】
図５は、電源ＯＮ／ＯＦＦ判定部２５３の構成図である。
電源ＯＮ／ＯＦＦ判定部２５３は、ＴＶ１１８の電源ＯＮ／ＯＦＦを検出するＣＲＴ動作チェック回路であって、例えば、センサー１と、入力端子２０１と、増幅回路２０２と、整流回路２０３とを備える。センサー１は、例えば、磁気用コイルであって、ＴＶ１１８のＦＢＴ（フライバックトランス）又は他のトランス又はコイル等の近傍に設置される。入力端子２０１は、ＳＴＢの背面に設けられたＦＢＴ端子（図２参照）である。増幅回路２０２は、例えば、センサー１のエネルギーのセンシングを行い、水平走査のエネルギーを増幅する。整流回路２０３は、増幅回路２０２で増幅された水平走査のエネルギーを整流して、ＣＰＵデータバス１０８に出力する。ＭＰＵ２５２は、この出力によりＴＶ１１８のＣＲＴの電源ＯＮ／ＯＦＦの測定を行う。なお、ここで、電源のＯＮ／ＯＦＦを測定する理由としては、例えば、ＴＶ１１８のメイン電源を測定することで、ラジオ放送内蔵ＴＶ受像機等でラジオ放送を受信した場合でも、ＳＴＢ側の動作及び視聴率調査データを正しく判定できるためである。なお、ＴＶ電源の動作状況は、カーレント、トランス等を利用することで行うこともできる。
【００２２】
図６は、比較部２００の構成図である。
比較部２００は、例えば、ローパスフィルター（２．５ＭＨｚ）２０４、２０６と、同期分離回路２０５、２０７と、映像バッファ回路２１４、２１５、２１６、２１７と、副搬送波４逓倍発振器２０９と、分周器２１１と、データ・セレクター２１２と、カウンター２１３とを備える。なお、同期分離回路２０５から出力されるＳＴＢの映像信号に対応した水平同期パルス（Ｈ．ＳＹＮＣ  Ｐｕｌｓｅ）及び垂直同期パルス（Ｖ．ＳＹＮＣ  Ｐｕｌｓｅ）と、同期分離回路２０６から出力されるアナログ・データセレクター１１０からの映像信号に対応した水平同期パルス及び垂直同期パルスと、カウンター１３から出力されるカウント値（判定信号）とは、ＣＰＵデータバス１０８を介してＭＰＵ２５２に出力される。
【００２３】
また、ＭＰＵ２５２は、例えば、ＣＰＵデータバス１０８を介して、垂直、水平同期信号切り替え信号（パルス００１）をデータ・セレクター２１２に出力し、カウント期間パルス（パルス００２）をカウンター２１３の端子ＥＮに出力し、さらに、クリヤーパルス（パルス００３）をカウンター２１３の端子ＣＬＲに出力する。パルス００２は、同期分離回路２０５からの水平又は垂直同期パルスに相当し、パルス００３は、同期分離回路２０７からの水平又は垂直同期パルスに相当する。
【００２４】
つぎに、本実施の形態に関する視聴状況調査装置の動作を説明する。なお、説明の便宜上、比較部２００の回路動作も併せて説明する。
まず、ｃｈ選択部２５１は、例えば、ＴＶ１１８で受信するチャンネルを視聴者等により選択されたチャンネルに切り替えるための信号を、ＴＶチューナー１０１と、音声多重・復調回路１０３とに送信する。このＴＶチューナー１０１は、アンテナより適宜の数及び種類の放送番組を受信することができる。ＴＶチューナー１０１は、受信している放送番組のうちｃｈ選択部２５１から選択された所望のチャンネルを選局する。
【００２５】
中間周波数増幅／復調回路１０２は、ＴＶチューナー１０１から送信された所望のチャンネルの信号を復調して、映像信号及び音声信号を得る。中間周波数増幅／復調回路１０２は、例えば、映像信号を、映像出力端子を介して比較部２００へ「入力１」として出力すると共に、アナログ・データセレクター１１０の映像入力端子▲１▼ＩＮ１に入力される。また、中間周波数増幅／復調回路１０２は、例えば、音声信号を、音声出力端子を介して音声多重・復調回路１０３へ出力する。この音声多重・復調回路１０３は、中間周波数増幅／復調回路１０２からの音声信号を、多重化して復調することにより、例えば、Ｌ用、Ｒ用の音声信号として、アナログ・データセレクター１１０の音声入力端子▲２▼ＩＮ１に入力される。
【００２６】
なお、アナログ・データセレクター１１０が端子ＩＮ１に切り替っている場合、中間周波数増幅／復調回路１０２及び音声多重・復調回路１０３から出力された映像信号及び音声信号は、アナログ・データセレクター１１０を介して、映像、音声出力端子１１７を経て、ＴＶ１１８の外部入力端子に導かれ、ＴＶ１１８のＣＲＴより映像として、ＴＶ１１８のスピーカーより音声として、それぞれ出力される。
【００２７】
つぎに、比較部２００では、例えば、中間周波数増幅／復調回路１０２より出力されたＳＴＢの映像信号が入力１に入力される。このＳＴＢの映像信号は、映像バッファ回路２１４の映像バッファを通過し、ローパスフィルター２０４によって、ペデスタルレベルより同期信号側に潜り込む文字多重、データ放送等の高周波成分が除去される。なお、このローパスフィルター２０４を付ける事により、同期分離を安定して行うことができる。ローパスフィルター２０４によって高周波成分が取り除かれた映像信号は、映像バッファ回路２１５を通過する。映像バッファ回路２１５の出力信号は、同期分離回路２０５によって、水平同期信号及び垂直同期信号にそれぞれ分離され、それらの等価パルスが作成され、この分離された水平同期パルス及び垂直同期パルスを、ＣＰＵデータバス１０８を介してＭＰＵ２５２に送信する。
【００２８】
また、アナログ・データセレクター１１０のＶＩＤＥＯ  ＯＵＴＰＵＴ端子から出力された映像信号は、比較部２００の入力２に入力される。この映像信号は、映像バッファ回路２１６を通過し、ローパスフィルター２０６によって、ペデスタルレベルより同期信号側に潜り込む文字多重、データ放送等の高周波成分が除去される。ローパスフィルター２０６によって高周波成分が取り除かれた映像信号は、映像バッファ回路２１７を通過し、同期分離回路２０７によって、水平同期信号及び垂直同期信号にそれぞれ分離され、それらの等価パルスが作成される。また、同期分離回路２０７は、この分離された水平同期パルス及び垂直同期パルスを、ＣＰＵデータバス１０８を介してＭＰＵ２５２に送信する。なお、チャンネル比較は、映像信号、音声信号、ＲＧＢ信号等により比較を行うこともできる。
【００２９】
また、副搬送波４逓倍発振器２０９は、入力１から入力されたＳＴＢの映像信号のサブキャリアを入力し、周波数を４逓倍として、データ・セレクター１１２の端子ａに出力すると共に、分周器２１１に出力する。
分周器２１１は、副搬送波４逓倍発振器２０９から入力された信号の周波数を分周して、データ・セレクター２１２の端子ｂに出力する。データ・セレクター２１２は、端子ａ又はｂから入力された信号を、パルス００１に基づいてセレクトし、カウンター２１３のＣＰに出力する。ここで、データ・セレクター２１２は、水平同期パルスをカウントするときは端子ａ側に切り替えられ、垂直同期パルスをカウントするときは端子ｂ側に切り替えられる。
【００３０】
図７は、本実施の形態に関する視聴状況調査装置の動作についてのタイムチャートである。
まず、カウンター２１３には、ＭＰＵ２５２により、例えば、同期分離回路２０５の水平同期パルスがクリヤーパルス（パルス００３）として入力され、カウントが開始される。なお、カウントされるパルスは、サブキャリアを、副搬送波４逓倍発振器２０９により、周波数を４倍（１４．３１８１８ＭＨｚ）とし、データ・セレクター２１２を介して、カウンター２１３に入力されたものである。一方、ＭＰＵ２５２により、同期分離回路２０７の水平同期パルスを基準信号として、カウント期間パルス（００２）がカウンター２１３に入力され、それがカウント終了パルスに用いられる。
【００３１】
つぎに、ＣＰＵデータバス１０８は、カウンター出力状態を読み取り、このカウンターの状態によって、入力１と入力２より入力された映像信号が同じチャンネルか、違うチャンネルかを判定する。ここで、ＳＴＢからの映像信号とアナログ・データセレクター１１０からの映像信号が同じ放送チャンネルであれば、同期分離回路２０５の水平同期パルスでパルス００２がセットされてから直ちに同期分離回路２０７の水平同期パルスでリセットが行われるので、カウンター２１３の計数カウンターは小さい値となる。
【００３２】
チャンネルを一致させるためのＳＴＢの操作方法としては、例えば、ＭＰＵ２５２は、ＳＴＢが受像可能な全ての又は複数のＴＶ放送を順次走査して、全放送局を走査後、チャンネルが一致していることを判定する。また、判定の結果、入力１と入力２より入力された映像信号が違うチャンネルである場合、ＭＰＵ２５２は、Ｉ２ＣＯＭバス（図４参照）を通して、ＴＶチューナー１０１に複数のチャンネル選択信号を与え、次のチャンネルに移り、順次同期信号を比較して、一致するチャンネルを取得するまで、又は、全チャンネル又は複数チャンネルについて同じ動作を繰り返すようにしてもよい。
【００３３】
さらに、１走査期間内で複数の一致チャンネルが検出された場合は、この複数の一致チャンネルのうち、垂直同期パルスの比較を行い、水平同期パルスだけでなく垂直同期パルスも一致したチャンネルを、チャンネルが一致したと判定する。なお、それでも複数のチャンネルが一致した場合は、計数値の最小値又は最大値を視聴チャンネルとして判定を行う。
【００３４】
一致チャンネルの条件としては、例えば、カウンター２１３に与えるパルスの時間を０．０６９８μＳとし、カウンター２１３の整数が第１の所定数（例えば、３０）以下及び第２の所定数（例えば、９１０）以上とする。すなわち、カウンター２１３の整数が所定範囲（例えば、３０〜９１０、但し、３０、９１０は含まない）であれば、チャンネルが異なるとする。なお、一例として、９１０以上を一致チャンネルの条件とした理由は、デジタル処理が行われるＶＣＲ等では、ＳＴＢ側の映像信号（基準側）より、ＶＣＲ側の映像信号が、例えば、水平走査期間をＨとして両映像信号の差が、回路処理によって次式のように、遅れが生ずることがあるためである。
【００３５】
１（Ｈ）Δ−（６３．５μｓ−０〜２μｓ）
なお、これらの値は、適宜変更することができる。
図８は、本実施の形態に関する視聴状況調査装置のフローチャートである。ここでのフローチャートでは、主に、上述の水平、垂直同期信号を比較する比較部２００の動作を説明する。
【００３６】
まず、比較部２００は、電源ＯＮ／ＯＦＦ判定部２５３により、ＴＶ１１８の電源がＯＮか否かを判定する（Ｓ３０１）。つぎに、ＴＶチューナー１０１は、ＭＰＵ２５２によって、ＳＴＢで受信できるＴＶ放送チャンネルがセットされる（Ｓ３０３）。つぎに、ＭＰＵ２５２は、アナログ・データセレクター１１０のアナログスイッチが端子ＩＮ−２〜４か否かを判定する（Ｓ３０５）。アナログ・データセレクター１１０のアナログスイッチによりＴＶ１１８と接続される映像信号が、ＳＴＢよりＴＶ１１８に送信されている場合、比較部２００は動作しない。
【００３７】
一方、ＭＰＵ２５２は、ステップＳ３０５でアナログ・データセレクター１１０のアナログスイッチが端子ＩＮ−２〜４である場合、チャンネル選択信号をＴＶチューナー１０１に与え、全チャンネルの走査を開始する（Ｓ３０７）。また、ＭＰＵ２５２は、パルス００３及び００２に、それぞれ同期分離回路２０５及び同期分離回路２０７からの水平同期パルスを与えて、それらの各チャンネルについて水平同期パルスの位相差の比較を開始する（Ｓ３０９）。ＭＰＵ２５２は、比較結果として、例えば、一致すると考えられるチャンネルを記憶部２５４に記憶する。
【００３８】
つぎに、ＭＰＵ２５２は、記憶部２５４を参照して、ステップＳ３０９の結果、一致するチャンネルがあるか否かを判定し（Ｓ３１１）、一致するチャンネルがある場合は、一致するチャンネルが複数あるか否かを判定する（Ｓ３１３）。ＭＰＵ２５２は、ステップＳ３１３で一致するチャンネルが１つであれば、このチャンネルを視聴チャンネルと判定して、視聴状況に関するログデータを記憶部２５４に出力する（Ｓ３１５）。なお、ＭＰＵ２５２は、ステップＳ３１１で一致チャンネルがない場合は、再び、ステップＳ３０５の処理を行う。
【００３９】
一方、ＭＰＵ２５２は、ステップＳ３１３で一致するチャンネルが複数ある場合、チャンネル選択信号をＴＶチューナー１０１に与えて、複数の一致チャンネルをセットする（Ｓ３１７）。また、ＭＰＵ２５２は、パルス００３及び００２に、それぞれ同期分離回路２０５及び同期分離回路２０７からの垂直同期パルスを与えて、それらのチャンネルについて垂直同期パルスの位相差の比較を開始する（Ｓ３１９）。つぎに、ＭＰＵ２５２は、一致するチャンネルが有るか否かを判定し（Ｓ３２１）、一致するチャンネルがなければ、再び、ステップＳ３０５の処理を行う。一方、ＭＰＵ２５２は、ステップＳ３２１で一致チャンネルがある場合、一致するチャンネルが複数あるか否かを判定し（Ｓ３２３）、複数のチャンネルがなければ、ステップＳ３１５の処理を行い、上述の処理を終了する。また、ＭＰＵ２５２は、ステップＳ３２３で複数のチャンネルがあれば、計測値の最大又は最小のものを視聴チャンネルと判定して、記憶部２５４に記憶し、再び、所定回数ステップＳ３０５以降の処理を行う。なお、上述のフローチャートでは、水平同期パルスを先に比較したが、ステップＳ３０７〜Ｓ３１３で垂直同期パルスを先に比較し、その後必要に応じてステップＳ３１９〜Ｓ３２３で水平同期パルスを比較するようにしてもよい。
【００４０】
図９は、記憶部２５４に記憶されるログデータの説明図である。
ログデータの項目としては、例えば、視聴した時間、視聴したチャンネル、セレクタの状態、個人（例えば、家族の誰が視聴したか）、ＴＶ識別子が含まれる。ここで、チャンネル欄には、例えば、ｃｈ選択部２５１により選択されたチャンネル（ここでは、５ｃｈ、１０ｃｈ等）、データ・セレクター１１０で選択されたゲーム、ビデオが記録される。また、セレクタ欄には、端子ＩＮ１、ＩＮ２等が記録されている。また、個人欄には、視聴した個人を特定するための個人情報、又は例えば、特定の個人の視聴した履歴などを、個人情報入力部２５５により入力することもできる。なお、ログデータの項目は、適宜の種類及び数を設定することができる。また、視聴した時間欄は、例えば、時計装置２５６によって測定された値（例えば、時刻又は時間等）が入力される。
【００４１】
【発明の効果】
本発明によると、以上説明した通り、実際に視聴している映像音声信号とＳＴＢにより受信されている映像音声信号との同期比較を行い、正確な視聴状況を調査することができる。また、本発明の他の目的は、ＴＶのＣＲＴの動作を確認して、ＴＶ電源の動作状況の把握を行い、ＣＲＴに映像が映されてなければ、視聴記録を視聴ＯＦＦとして記録することができる。
【図面の簡単な説明】
【図１】本実施の形態に関するのＳＴＢを用いたテレビ視聴状況調査装置の接続説明図。
【図２】本実施の形態に関するのＳＴＢの背面及び前面の説明図。
【図３】個人表示装置の外観構成図。
【図４】本実施の形態に関する視聴状況調査装置の構成図。
【図５】電源ＯＮ／ＯＦＦ判定部２５３の構成図。
【図６】比較部２００の構成図。
【図７】本実施の形態に関する視聴状況調査装置の動作についてのタイムチャート。
【図８】本実施の形態に関する視聴状況調査装置のフローチャート。
【図９】記憶部２５４に記憶されるログデータの説明図。
【図１０】従来のＳＴＢを用いたテレビ視聴状況調査装置の接続説明図。
【図１１】従来のＳＴＢの背面及び前面の説明図。
【符号の説明】
１０１  ＴＶチューナー
１０２  中間周波数増幅／復調回路
１０３  音声多重・復調回路
１０４、１０６  ローパスフィルター（２．５ＭＨｚ）
１０５、１０７  同期分離回路
１０８  ＣＰＵデータバス
１０９  副搬送波４逓倍発振器
１１０  アナログ・データセレクター（ＡＶセレクター）
１１１  分周器
１１２、１１４  データ・セレクター
１１３  カウンター
１１５  ＡＶセレクター表示器
１１６  データ・セレクター制御信号
１１７  映像、音声出力端子
２１４、２１５、２１６、２１７  映像バッファ回路
【図１】
0004527903.tif 000002
【図２】
0004527903.tif 000003
【図３】
0004527903.tif 000004
【図４】
0004527903.tif 000005
【図５】
0004527903.tif 000006
【図６】
0004527903.tif 000007
【図７】
0004527903.tif 000008
【図８】
0004527903.tif 000009
【図９】
0004527903.tif 000010
【図１０】
0004527903.tif 000011
【図１１】
0004527903.tif 000012